(57)【特許請求の範囲】
【請求項１】
記事情報と広告情報の複数の表示データが格納されたデータ部と、前記表示データを表示する表示手段と、前記記事情報を識別するキー情報と前記データ部における前記記事情報のアドレスを示す記事データ部指標とが関係付けて格納された記事インデックス部と、前記キー情報と前記広告情報の表示時間を示すタイマ値及び前記データ部における前記広告情報のアドレスを示す広告データ部指標から成る広告制御情報とが関係付けて格納された広告パラメータ部と、前記キー情報を選択する選択手段と、前記タイマ値に基づいて時間のカウントを行い、カウント終了時に終了通知を出力する時間監視手段と、前記選択手段で選択されたキー情報に対して前記広告パラメータ部で一致するキー情報に関係付けられたタイマ値と広告データ部指標から成る広告制御情報を取得し、前記広告データ部指標により前記データ部から前記キー情報に対応する広告情報の表示デ−タを読み出して前記表示手段に出力し、前記時間監視手段に前記タイマ値を出力し、前記終了通知を受け取って前記広告情報の表示を終了させ、前記選択手段で選択されたキー情報に対して前記記事インデックス部で一致するキー情報に関係付けられた記事データ部指標を取得し、前記記事データ部指標により前記データ部から前記キー情報に対応する記事情報の表示デ−タを読み出して前記表示手段に出力する制御手段とを有することを特徴とする表示装置。
【請求項２】
制御手段が選択手段で選択されたキー情報に一致する広告パラメータ部内のキー情報を検索し、一致したキー情報に関係付けられた広告制御情報からタイマ値と広告データ部指標を取得し、前記広告データ部指標によりデータ部から広告情報の表示データを読み出して表示手段に出力し、前記タイマ値により時間監視手段から終了通知を受けて前記広告情報の表示を終了し、前記選択手段で選択されたキー情報に一致する記事インデックス部内のキー情報を検索し、一致したキー情報に関係付けられた記事データ部指標を取得し、前記記事データ部指標により前記データ部から記事情報の表示データを読み出して前記表示手段に出力することを特徴とする請求項１記載の表示装置の制御方法。
【発明の詳細な説明】
【０００１】
【産業上の利用分野】
本発明は、ＩＣカ−ド、磁気ディスク、フロッピ−ディスク等の記憶媒体から、選択手段にて必要な情報をディスプレイに表示する表示装置に係り、特に上記記憶媒体の記事情報を表示する前にコマ−シャル等の広告情報を時間監視手段を使用して一定時間表示することができる表示装置及びその制御方法に関する。
【０００２】
【従来の技術】
従来の記事情報及び広告情報を表示する表示装置について図４を使って説明する。図４は、従来の表示装置の構成ブロック図である。
従来の表示装置は、図４に示すように、キ−情報ａと、デ−タ部指標ｂとが関係付けて格納されているインデックス部１０と、記事及び広告の表示デ−タｃが格納されているデータ部２０と、選択したキ−情報ａ′から表示デ−タｃを取得してディスプレイ５０に送出する制御手段３０と、キ−情報ａを選択して制御手段３０に送出する選択手段４０と、表示デ−タｃをモニタ−に表示するディスプレイ５０とから構成されている。
【０００３】
次に、従来の表示装置における各部について図４及び図５を使って具体的に説明する。図５は、従来の表示装置におけるインデックス部１０の内容例とデータ部２０の内容例の関係図である。
インデックス部１０は、図５に示すように、ユニークなキ−コ−ドとデ−タの見出語となるキ−項目とから成るキ−情報ａを複数保有し、デ−タ部２０に格納されている複数のキー情報ａに対応した複数の表示デ−タｃの格納先である各アドレスを示すデータ部指標ｂを保有し、キー情報ａとデータ部指標ｂとが関係付けられて格納されている。例えば、キー情報ａにおけるキー項目「経済面」にはキーコード「０１０００」が与えられ、更に対応する記事がデータ部２０の「記事３」に格納されており、キー項目「経済面」に対応するデータ部指標ｂはこの「記事３」のアドレスが書き込まれている。
【０００４】
デ−タ部２０は、図５に示すように、記事情報と広告情報の表示デ−タｃが混在して格納されたＩＣカード、磁気ディスク、フロッピーディスク等の記憶装置となっており、インデックス部１０を使って必要な記事・広告情報の表示データｃを読み出すことができるようになっている。
【０００５】
制御手段３０は、第１に、選択手段４０より送出されたキ−情報ａ′のキーコードとインデックス部１０内のキ−情報ａのキーコードを比較し、一致するキーコードがあればデ−タ部指標ｂにおける対応するアドレスを取得する。第２に、インデックス部１０で取得したデ−タ部指標ｂに示されたアドレスに従ってデ−タ部２０内の当該アドレスに格納されている表示デ−タｃを読み出して取得する。第３に、デ−タ部２０から取得した表示デ−タｃをディスプレイ５０に送出するものである。
【０００６】
選択手段４０は、キーボード等から構成され、オペレ−タが選択したキーによりキーコードを含むキー情報ａ′を制御手段３０に出力するものである。
ディスプレイ５０は、制御手段３０から送出された表示デ−タｃをモニタ−に表示する表示手段である。
【０００７】
次に、従来の表示装置の制御方法について図４及び図５を使って説明する。
オペレ−タが選択手段４０を使ってキ−入力を行って記事又は広告を選択すると、選択したキ−に対応したキ−コ−ドを含むキ−情報ａ′を制御手段３０に出力する。そして、制御手段３０では、選択したキ−情報ａ′とインデックス部１０におけるキ−情報ａ内のいずれかと一致するかどうか、例えば、両キー情報のキーコードを比較することで判定し、一致するキー情報があれば、関係付けられたデ−タ部指標ｂを取得する。
【０００８】
次に、制御手段３０は、デ−タ部指標ｂに示されたアドレスに従って、デ−タ部２０をアクセスし、データ部２０内の記事又は広告の表示デ−タｃを読み出し、ディスプレイ５０に送出する。そして、ディスプレイ５０で表示デ−タｃの表示動作が為され、モニターに記事又は広告の情報が表示される。
【０００９】
例えば、選択手段４０からキ−入力により「経済面」を選択すると、この「経済面」に付されたキーコード「０１０００」に一致するキーコードがインデックス部１０のキー情報ａ内にあるかどうか制御手段３０により検索され、両方のキーコードが一致すれば、キーコード「０１０００」とキー項目「経済面」から成るキ−情報ａに対応するデ−タ部指標ｂを取得する。そして、デ−タ部指標ｂに示されたアドレスに従って、データ部２０をアクセスし、データ部２０から表示デ−タｃ「記事３」を取得して「記事３」の記事情報の表示を行う。
同様に、キ−入力により特定の「広告面」を選択すると、それに付されたキーコード「９９０００」から対応するデータ部指標ｂを取得し、データ部指標ｂのアドレスによりデ−タ部２０から表示データｃ「広告２」を取得して「広告２」の広告情報の表示を行う。
【００１０】
【発明が解決しようとする課題】
しかしながら、上記従来の表示装置及びその制御方法では、記事情報又は広告情報のいずれか１つの情報を選択して、デ−タ部２０から選択した１つの情報のみをディスプレイ５０に表示するようにしているため、記事情報を選択して表示している限り、広告情報が表示されることがなく、スポンサーにとって宣伝効果を期待できないという問題点があった。
【００１１】
本発明は上記実情に鑑みて為されたもので、記事情報を選択すると、記事情報を表示する前に、一定時間広告情報を表示させることができる表示装置及びその制御方法を提供することを目的とする。
【００１２】
【課題を解決するための手段】
上記従来例の問題点を解決するための請求項１記載の発明は、表示装置において、記事情報と広告情報の複数の表示データが格納されたデータ部と、前記表示データを表示する表示手段と、前記記事情報を識別するキー情報と前記データ部における前記記事情報のアドレスを示す記事データ部指標とが関係付けて格納された記事インデックス部と、前記キー情報と前記広告情報の表示時間を示すタイマ値及び前記データ部における前記広告情報のアドレスを示す広告データ部指標から成る広告制御情報とが関係付けて格納された広告パラメータ部と、前記キー情報を選択する選択手段と、前記タイマ値に基づいて時間のカウントを行い、カウント終了時に終了通知を出力する時間監視手段と、前記選択手段で選択されたキー情報に対して前記広告パラメータ部で一致するキー情報に関係付けられたタイマ値と広告データ部指標から成る広告制御情報を取得し、前記広告データ部指標により前記データ部から前記キー情報に対応する広告情報の表示デ−タを読み出して前記表示手段に出力し、前記時間監視手段に前記タイマ値を出力し、前記終了通知を受け取って前記広告情報の表示を終了させ、前記選択手段で選択されたキー情報に対して前記記事インデックス部で一致するキー情報に関係付けられた記事データ部指標を取得し、前記記事データ部指標により前記データ部から前記キー情報に対応する記事情報の表示デ−タを読み出して前記表示手段に出力する制御手段とを有することを特徴としている。
【００１３】
上記従来例の問題点を解決するための請求項２記載の発明は、請求項１記載の表示装置の制御方法において、制御手段が選択手段で選択されたキー情報に一致する広告パラメータ部内のキー情報を検索し、一致したキー情報に関係付けられた広告制御情報からタイマ値と広告データ部指標を取得し、前記広告データ部指標によりデータ部から広告情報の表示データを読み出して表示手段に出力し、前記タイマ値により時間監視手段から終了通知を受けて前記広告情報の表示を終了し、前記選択手段で選択されたキー情報に一致する記事インデックス部内のキー情報を検索し、一致したキー情報に関係付けられた記事データ部指標を取得し、前記記事データ部指標により前記データ部から記事情報の表示データを読み出して前記表示手段に出力することを特徴としている。
【００１４】
【作用】
請求項１記載の発明によれば、記事インデックス部で記事情報を識別するキー情報と対応する記事情報のデータ部における表示データのアドレスを示す記事データ部指標とを関連付けて格納し、広告パラメータ部で前記キー情報と対応する広告情報の表示時間となるタイマ値及び広告情報のデータ部における表示データのアドレスを示す広告データ部指標とを広告制御情報として関連付けて格納し、時間監視手段でタイマ値に従ったカウントを行い、選択手段でキー情報を選択すると、制御手段がまず広告パラメータ部から選択されたキー情報に対応するタイマ値と広告データ部指標を取得し、広告データ部指標よりデータ部から広告情報の表示データを読み出して表示手段に表示させ、但しタイマ値に従って時間監視手段が表示時間を特定時間とし、広告情報表示終了後に記事インデックス部から選択されたキー情報に対応する記事データ部指標を取得し、記事データ部指標よりデータ部から記事情報の表示データを読み出して表示手段に表示させる表示装置としているので、記事情報を選択すると、記事情報を表示する前に、一定時間広告情報を表示させることができる。
【００１５】
請求項２記載の発明によれば、選択したキー情報に対応するタイマ値及び広告データ部指標を広告制御情報として広告パラメータ部から取得し、広告デ−タ部指標で示されたアドレスに従ってデータ部から広告情報の表示データを読み出して表示手段に表示させ、タイマ値に従って時間監視手段がカウントを行い、カウント終了後に終了通知を制御手段が受け取って広告情報の表示を終了させ、選択したキー情報に対応する記事データ部指標をインデックス部から取得し、記事データ部指標で示されたアドレスに従ってデータ部から記事情報の表示デ−タを読み出して表示手段に表示させる請求項１記載の表示装置の制御方法としているので、記事情報を選択すると、記事情報を表示する前に、一定時間広告情報を表示させることができる。
【００１６】
【実施例】
本発明の一実施例について図面を参照しながら説明する。
図１は、本発明の一実施例に係る表示装置の構成ブロック図である。尚、図４と同様の構成をとる部分については同一の符号を付して説明する。
【００１７】
本実施例の表示装置は、図１に示すように、記事情報のみに関するキー情報ａと、記事データ部指標ｄが関係付けて格納されている記事インデックス部１５と、記事・広告情報の表示データｃが格納されているデータ部２０と、選択したキー情報ａ′から表示デ−タｃを取得してディスプレイ５０に送出し、時間監視手段７０にタイマ値ｆを渡して終了通知ｈを受ける制御手段３５と、選択したキー情報ａ′を制御手段３５に出力する選択手段４０と、表示デ−タｃをモニタ−に表示するディスプレイ５０と、キ−情報ａに対応してタイマ値ｆ及び広告デ−タ部指標ｇから成る広告制御情報ｅが関係付けて格納されている広告パラメ−タ部６０と、タイマ値ｆに従って時間のカウントを行い、カウント終了を終了通知ｈでもって制御手段３５に通知する時間監視手段７０とから構成されている。
【００１８】
次に、本実施例の表示装置における各部について図１及び図２を使って具体的に説明する。図２は、本実施例の記事インデックス部１５の内容例及び広告パラメータ部６０の内容例とデータ部２０の内容例の関係図である。
記事インデックス部１５は、ユニークなキ−コ−ドとデ−タの見出語となるキ−項目とから成るキ−情報ａと、デ−タ部２０に格納されている記事情報の表示デ−タｃのアドレスを示す記事デ−タ部指標ｄとが関係付けられて格納されている。
デ−タ部２０は、ＩＣカード、磁気ディスク、フロッピーディスク等の記憶装置から構成され、記事情報と広告情報の表示デ−タｃ1,ｃ2 が混在して格納された記憶装置となっている。
【００１９】
制御手段３５は、第１に選択手段４０より送出されたキ−情報ａ′のキーコードと広告パラメータ部６０内のキーコードとを比較し、一致するキーコードがあれば対応する広告制御情報ｅを取得する。第２に、取得した広告制御情報ｅの広告デ−タ部指標ｇに示されたアドレスに従ってデータ部２０内の広告情報の表示デ−タｃ1 を取得する。第３に、デ−タ部２０から取得した広告情報の表示デ−タｃ1 をディスプレイ５０に送出する。第４に、時間監視手段７０に取得した広告制御情報ｅのタイマ値ｆを出力し、タイマ値ｆのカウントが終了すると時間監視手段７０から終了通知ｈを受け取る。第５に、キ−情報ａ′のキーコードと記事インデックス部１５内のキー情報ａのキーコードを比較し、一致するキーコードがあれば対応する記事デ−タ部指標ｄを取得する。第６に、取得した記事データ部指標ｄに示されたアドレスに従ってデータ部２０内の記事情報の表示デ−タｃ2 を取得する。第７に、デ−タ部２０から取得した記事情報の表示デ−タｃ2 をディスプレイ５０に送出するものである。
【００２０】
選択手段４０は、キーボード等から構成され、選択したキ−情報ａ′を制御手段３５に送出するものである。また、ディスプレイ５０は、制御手段３５より送られた表示データｃをモニタ−に表示する表示手段である。
【００２１】
広告パラメ−タ部６０は、記事インデックス部１５内のキ−情報ａのキ−コ−ドと同じキ−コ−ドを保有し、これらキーコードに対応する広告制御情報ｅが関係付けて格納されている。ここで、広告制御情報ｅとは、広告を表示する時間を示すタイマ値ｆとデ−タ部２０に格納されている広告情報の表示デ−タｃ1 のアドレスを示す広告デ−タ部指標ｇとから構成されるものである。
時間監視手段７０は、制御手段３５から受け取ったタイマ値ｆに従って時間カウントを行い、制御手段３５に広告表示終了を示す終了通知ｈを出力するものである。
【００２２】
次に、本実施例の表示装置の制御方法について図３を使って説明する。図３は、本実施例の表示装置の制御手段における制御方法のフロ−チャ−ト図である。オペレ−タが選択手段４０でキ−入力を行うと、キ−情報ａ′が制御手段３５に出力され、制御手段３５ではこのキー情報ａ′を受け取る（１００）。すると、制御手段３５は、キ−情報ａ′のキ−コ−ドと広告パラメ−タ部６０内のキ−コ−ドとを比較する（１０１）。選択手段４０で選択したキ−情報ａ′の中のキ−コ−ドと広告パラメ−タ部６０内のキ−コ−ドとが一致したら、そのキ−コ−ドに対応する広告制御情報ｅとしてタイマ値ｆ及び広告デ−タ部指標ｇを取得する（１０２）。
【００２３】
次に、広告パラメ−タ部６０より取得した広告デ−タ部指標ｇに示されたアドレスに従って、デ−タ部２０から広告情報の表示デ−タｃ1 を読み出す（１０３）。更に、デ−タ部２０より取得した広告情報の表示デ−タｃ1 をディスプレイ５０に出力する（１０４）。すると、ディスプレイ５０ではモニターに広告情報の表示デ−タｃ1 を表示するようになっている。
【００２４】
そして、広告パラメ−タ部６０より取得したタイマ値ｆを時間監視手段７０に出力する（１０５）。次に制御手段３５が時間監視手段７０から送出された終了通知ｈを受け取ったかどうかの判定が為される（１０６）。つまり、時間監視手段７０ではタイマ値ｆに相当する時間がカウントされ、タイマ値ｆに相当する時間が経過すると時間監視手段７０から終了通知ｈが送出され、該終了通知ｈを制御手段３５が受け取ったかどうかの判定が為されるものである。ここで、該終了通知ｈを制御手段３５が受け取るとディスプレイ５０における広告情報の表示を終了させる（１０７）。
【００２５】
次に、制御手段３５ではキ−情報ａ′と記事インデックス部１５内のキ−情報ａとを比較を行う（１０８）。具体的には、キ−情報ａ′のキーコードとキ−情報ａのキーコードとの比較が為され、一致するキーコードがあれば、そのキ−情報ａに対応する記事デ−タ部指標ｂを取得する（１０９）。
【００２６】
そして、記事インデックス部１５より取得した記事デ−タ部指標ｄに示されたアドレスに従って、デ−タ部２０より記事情報の表示デ−タｃ2 を読み出す（１１０）。更に、データ部２０より取得した記事情報の表示デ−タｃ2 をディスプレイ５０に出力する（１１１）。すると、ディスプレイ５０ではモニターに記事情報の表示デ−タｃ2 を表示するようになっている。
【００２７】
このようにして、選択手段４０で記事情報を選択するキー入力が為されても、選択された記事情報に対応する広告情報を記事情報が表示される前に特定時間ディスプレイ５０のモニターに表示するようになっている。
【００２８】
例えば、選択手段４０からキ−入力により「経済面」を選択すると、キー情報ａ′が制御手段３５に送出され、キー情報ａ′のキーコードが「０１０００」であるので、広告パラメ−タ部６０のキーコードを検索して一致するキーコードの広告制御情報ｅを取得する。つまり、制御手段３５は、一致するキ−コ−ド「０１０００」に対応する「５秒」のタイマ値ｆと「広告１」が格納されているデ−タ部２０のアドレスを示す広告デ−タ部指標ｇを広告制御情報ｅとして取得する。そして、制御手段３５は、この広告デ−タ部指標ｇで示されたアドレスに従って、デ−タ部２０より表示デ−タｃ「広告１」を読み出してディスプレイ５０に表示し、また、時間監視手段７０でタイマ値ｆ「５秒」にてカウントされてカウント終了を示す終了通知ｈを受け取ると、表示デ−タｃ「広告１」の内容の表示を終了させる。これで、「広告１」を５秒表示したことになる。
【００２９】
次に、記事インデックス部１５からキー情報ａ′のキ−コ−ド「０１０００」に一致するキーコードを検索して、一致するキ−コ−ド「０１０００」のキ−情報ａに対応する「記事３」が格納されているデ−タ部２０のアドレスを示す記事デ−タ部指標ｄを取得する。この記事デ−タ部指標ｄで示されたアドレスに従って、デ−タ部２０より表示デ−タｃ「記事３」を読み出してディスプレイ５０に表示する。よって、ディスプレイ５０には広告情報「広告１」が５秒間表示され、その後に記事情報「記事３」が表示されたことになる。
【００３０】
本実施例の表示装置及びその制御方法によれば、キ−入力で記事を選択すると選択したキ−情報ａ′に対応する広告制御情報ｅにより広告情報の表示デ−タｃ1 及び広告を表示する時間（タイマ値ｆ）を得て、記事情報の表示データｃ2 の表示前にタイマ値ｆの時間だけ広告情報の表示データｃ1 を表示するようにしているため、スポンサ−が存在する情報について、確実かつ定量的な宣伝効果を与えることができる効果がある。
【００３１】
【発明の効果】
請求項１記載の発明によれば、記事インデックス部で記事情報を識別するキー情報と対応する記事情報のデータ部における表示データのアドレスを示す記事データ部指標とを関連付けて格納し、広告パラメータ部で前記キー情報と対応する広告情報の表示時間となるタイマ値及び広告情報のデータ部における表示データのアドレスを示す広告データ部指標とを広告制御情報として関連付けて格納し、時間監視手段でタイマ値に従ったカウントを行い、選択手段でキー情報を選択すると、制御手段がまず広告パラメータ部から選択されたキー情報に対応するタイマ値と広告データ部指標を取得し、広告データ部指標よりデータ部から広告情報の表示データを読み出して表示手段に表示させ、但しタイマ値に従って時間監視手段が表示時間を特定時間とし、広告情報表示終了後に記事インデックス部から選択されたキー情報に対応する記事データ部指標を取得し、記事データ部指標よりデータ部から記事情報の表示データを読み出して表示手段に表示させる表示装置としているので、記事情報を選択すると、記事情報を表示する前に、一定時間広告情報を表示させることができ、確実かつ定量的に宣伝できる効果がある。
【００３２】
請求項２記載の発明によれば、選択したキー情報に対応するタイマ値及び広告データ部指標を広告制御情報として広告パラメータ部から取得し、広告デ−タ部指標で示されたアドレスに従ってデータ部から広告情報の表示データを読み出して表示手段に表示させ、タイマ値に従って時間監視手段がカウントを行い、カウント終了後に終了通知を制御手段が受け取って広告情報の表示を終了させ、選択したキー情報に対応する記事データ部指標をインデックス部から取得し、記事データ部指標で示されたアドレスに従ってデータ部から記事情報の表示デ−タを読み出して表示手段に表示させる請求項１記載の表示装置の制御方法としているので、記事情報を選択すると、記事情報を表示する前に、一定時間広告情報を表示させることができ、確実かつ定量的に宣伝できる効果がある。
【図面の簡単な説明】
【図１】本発明の一実施例に係る表示装置の構成ブロック図である。
【図２】本実施例の記事インデックス部１５の内容例及び広告パラメ−タ部６０の内容例とデ−タ部２０の内容例の関係図である。
【図３】本実施例の表示装置の制御手段における制御方法のフロ−チャ−ト図である。
【図４】従来の表示装置の構成ブロック図である。
【図５】従来の表示装置におけるインデックス部１０の内容例とデ−タ部２０の内容例の関係図である。
【符号の説明】
１０…インデックス部、  １５…記事インデックス部、  ２０…デ−タ部、  ３０…制御手段（従来の表示装置）、  ３５…制御手段（本実施例の表示装置）、４０…選択手段、  ５０…ディスプレイ、  ６０…広告パラメ−タ部、  ７０…時間監視手段、  ａ…キ−情報、  ｂ…デ−タ部指標、  ｃ…表示デ−タ、  ｄ…記事デ−タ部指標、  ｅ…広告制御情報、  ｆ…タイマ値、  ｇ…広告デ−タ部指標、  ｈ…終了通知
【図１】
0003751323.tif 000002
【図２】
0003751323.tif 000003
【図３】
0003751323.tif 000004
【図４】
0003751323.tif 000005
【図５】
0003751323.tif 000006